【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
収納容器に収納した放射性廃棄体の放射能測定方法において、
前記放射性廃棄体を収納容器に収納した状態で、前記収納容器の外部において前記収納容器の内側から漏洩する放射線のエネルギスペクトルを測定することを模擬して、放射線エネルギスペクトルを解析する放射線エネルギスペクトル解析手順と、
前記放射線エネルギスペクトル解析手順により解析した放射線エネルギスペクトル解析結果を記憶装置に記憶させる放射線エネルギスペクトル解析結果記憶手順と、
前記放射性廃棄体を収納容器に収納した状態で、前記収納容器の外部において前記収納容器の内側から漏洩する放射線エネルギスペクトルを測定する放射線エネルギスペクトル測定手順と、
必要に応じて前記放射線エネルギスペクトル解析結果記憶手順により前記記憶装置に記憶させた前記放射線エネルギスペクトル解析結果を読み出す放射線エネルギスペクトル読出し手順と、
前記放射線エネルギスペクトル読出し手順により読み出した前記放射線エネルギスペクトル解析結果を参照し、前記放射線エネルギスペクトル測定手順により測定した前記放射線エネルギスペクトルの測定結果と比較し差異を導出し、導出した差異に基づき前記放射線エネルギスペクトル解析結果の探索を繰り返し、前記放射線エネルギスペクトルの測定結果との差異が小さい前記放射線エネルギスペクトル解析結果を決定する放射線エネルギスペクトル探索手順と、
前記放射線エネルギスペクトル探索手順により決定した前記放射線エネルギスペクトル解析結果に基づき、放射能量あるいは放射能濃度を推定する放射能推定手順とを備えた
ことを特徴とする放射性廃棄体の放射能測定方法。
【請求項２】
請求項１に記載の放射性廃棄体の放射能測定方法において、
前記放射線エネルギスペクトル解析手順は、前記収納容器の内部に収納された前記放射性廃棄体の領域を複数の小領域に分割し、それぞれの小領域のいずれかに放射線源がある場合に前記収納容器の外部において前記収納容器の内側から漏洩する放射線のエネルギスペクトルを測定したことを模擬して、放射線エネルギスペクトルを解析し、
前記放射線エネルギスペクトル解析結果記憶手順は、前記エネルギスペクトル解析手順により解析したそれぞれの前記放射線エネルギスペクトル解析結果を前記記憶装置に記憶させ、
前記放射線エネルギスペクトル探索手順は、前記放射線エネルギスペクトル解析結果の探索の際に、前記それぞれの前記放射線エネルギスペクトル解析結果に重み係数を乗算して線形結合したものと前記放射線エネルギスペクトル測定結果とを比較する
ことを特徴とする放射性廃棄体の放射能測定方法。
【請求項３】
請求項２に記載の放射性廃棄体の放射能測定方法において、
前記放射線エネルギスペクトル探索手順は、前記放射線エネルギスペクトル解析結果に重み係数を乗算して線形結合する場合において、前記それぞれの前記放射線エネルギスペクトル解析結果に乗算する重み係数を、前記放射線エネルギスペクトル測定結果に基づき確率または統計的に推定する手順を備えた
ことを特徴とする放射性廃棄体の放射能測定方法。
【請求項４】
収納容器に収納した放射性廃棄体の放射能測定装置において、
前記放射性廃棄体を収納容器に収納した状態で、前記収納容器の外部において前記収納容器の内側から漏洩する放射線のエネルギスペクトルを測定する少なくとも１台の放射線エネルギスペクトル測定装置と、
前記放射性廃棄体を収納した前記収納容器、および前記放射線エネルギスペクトル測定装置を模擬し、放射線のエネルギスペクトルを解析する放射線解析装置と、
前記放射線解析装置により解析した、前記収納容器の内側から漏洩する放射線の放射線エネルギスペクトル解析結果を記憶する放射線エネルギスペクトル解析結果記憶装置と、
必要に応じて前記放射線エネルギスペクトル解析結果記憶装置から、前記放射線エネルギスペクトル解析結果を読み出す放射線エネルギスペクトル解析結果読出し装置と、
前記放射線エネルギスペクトル解析結果読出し装置から読み出した前記放射線エネルギスペクトル解析結果を参照し、前記放射線エネルギスペクトル測定装置により測定された放射線エネルギスペクトル測定結果と比較し、前記放射線エネルギスペクトル解析結果と前記放射線エネルギスペクトル測定結果の差異に基づき、前記放射線エネルギスペクトル解析結果の探索を実施することを繰り返し、前記放射線エネルギスペクトル測定結果との差異が小さい放射線エネルギスペクトル解析結果を決定する放射線エネルギスペクトル探索装置と、
前記放射線エネルギスペクトル探索装置により決定した前記放射線エネルギスペクトル解析結果に基づき、放射能量あるいは放射能濃度を推定する放射能推定装置とを備えた、
ことを特徴とする放射性廃棄体の放射能測定装置。
【請求項５】
請求項４に記載の放射性廃棄体の放射能測定装置において、
前記放射能推定装置による放射能量あるいは放射能濃度の推定状況または推定結果を表示する推定値表示装置を更に備えた
ことを特徴とする放射性廃棄体の放射能測定装置。
【請求項６】
請求項４または５に記載の放射性廃棄体の放射能測定装置において、
複数の放射線エネルギスペクトル測定装置を備えた
ことを特徴とする放射性廃棄体の放射能測定装置。
【手続補正２】
【補正対象書類名】明細書
【補正対象項目名】０００９
【補正方法】変更
【補正の内容】
【０００９】
上記課題を解決するために、例えば特許請求の範囲に記載の構成を採用する。本願は、上記課題を解決する手段を複数含んでいるが、その一例を挙げるならば、収納容器に収納した放射性廃棄体の放射能測定方法において、前記放射性廃棄体を収納容器に収納した状態で、前記収納容器の外部において前記収納容器の内側から漏洩する放射線のエネルギスペクトルを測定することを模擬して、放射線エネルギスペクトルを解析する放射線エネルギスペクトル解析手順と、前記放射線エネルギスペクトル解析手順により解析した放射線エネルギスペクトル解析結果を記憶装置に記憶させる放射線エネルギスペクトル解析結果記憶手順と、前記放射性廃棄体を収納容器に収納した状態で、前記収納容器の外部において前記収納容器の内側から漏洩する放射線エネルギスペクトルを測定する放射線エネルギスペクトル測定手順と、必要に応じて前記放射線エネルギスペクトル解析結果記憶手順により前記記憶装置に記憶させた前記放射線エネルギスペクトル解析結果を読み出す放射線エネルギスペクトル読出し手順と、前記放射線エネルギスペクトル読出し手順により読み出した前記放射線エネルギスペクトル解析結果を参照し、前記放射線エネルギスペクトル測定手順により測定した前記放射線エネルギスペクトルの測定結果と比較し差異を導出し、導出した差異に基づき前記放射線エネルギスペクトル解析結果の探索を繰り返し、前記放射線エネルギスペクトルの測定結果との差異が小さい前記放射線エネルギスペクトル解析結果を決定する放射線エネルギスペクトル探索手順と、前記放射線エネルギスペクトル探索手順により決定した前記放射線エネルギスペクトル解析結果に基づき、放射能量あるいは放射能濃度を推定する放射能推定手順とを備えたことを特徴とする。
【手続補正３】
【補正対象書類名】明細書
【補正対象項目名】００２５
【補正方法】変更
【補正の内容】
【００２５】
図２に戻り、放射能量比較装置８は、この合成した計算スペクトル（計算スペクトル合成値Scalc）と実測スペクトルデータ４との比較処理を実施する（ステップＳ１０７）。具体的には、例えば、設定された初期条件に基づいて合成した計算スペクトルと実測スペクトルとの差を比較する。両スペクトルの差は、例えばエネルギスペクトルの横軸であるエネルギ全域を微小区間幅で等分割し、同一のエネルギ値を示す微小区間幅ごとに縦軸であるガンマ線計数率の二乗誤差を取り、エネルギスペクトル全体にわたってその二乗誤差の総和を計算する。その二乗誤差の総和とあらかじめ設定した閾値との差を比較する。
【手続補正４】
【補正対象書類名】明細書
【補正対象項目名】００３３
【補正方法】変更
【補正の内容】
【００３３】
ここで、wlは重み係数を表し、wl∈Ωで定義される。Ωはあらかじめ用意しておいた０．０，０．５，１．０，１．５・・・・等の重み係数の集合を表す。Tは任意の係数である。Ｓexpは実測スペクトルデータ４を表す。またmはエネルギスペクトルをエネルギ方向にある幅で分割した時の、それぞれのエネルギ幅のインデックスを表す。
【手続補正５】
【補正対象書類名】明細書
【補正対象項目名】００３８
【補正方法】変更
【補正の内容】
【００３８】
ここで、Ｓexp1、Ｓexp2は、２組のガンマ線検出器２とエネルギスペクトル計測器３とでエネルギスペクトルを測定したときの、それぞれの実測スペクトルデータ４を表す。
【手続補正６】
【補正対象書類名】明細書
【補正対象項目名】００４５
【補正方法】変更
【補正の内容】
【００４５】
図９における画面表示例では、実測スペクトルデータ４と、分割領域Ｒ１、Ｒ２、…の計算スペクトルデータ６と、計算で評価している各分割領域の重み係数と、評価の際に数式３、あるいは数式４にある二乗誤差の値と、表示された重み係数に基づき推定・評価された放射能濃度とを表示する画面を備えている。
【手続補正７】
【補正対象書類名】明細書
【補正対象項目名】００５３
【補正方法】変更
【補正の内容】
【００５３】
また、水平方向走査機構１１と鉛直方向走査機構１２と、鉛直方向走査機構１２に固定冶具１３により固定されたエネルギスペクトル測定用のガンマ線検出器２を２セット用意し、例えばその２セットをＬ字型に配置しても良い。この場合、廃棄体容器１の二つの側面を同時に測定し、その後、廃棄体容器１を１８０度回転することで残りの二つの側面を測定することが可能になる。
【手続補正８】
【補正対象書類名】明細書
【補正対象項目名】００５５
【補正方法】変更
【補正の内容】
【００５５】
また、上述した本発明の放射性廃棄体の放射能測定方法および装置の第２の実施の形態によれば、エネルギスペクトル測定用のガンマ線検出器２が１台であっても、廃棄体容器１の各側面をくまなく測定することができ、廃棄体容器１の内部に放射能濃度の分布がある場合であっても、廃棄体容器１内の放射能量あるいは放射能濃度を精度よく推定・評価できる。
【手続補正９】
【補正対象書類名】明細書
【補正対象項目名】００６３
【補正方法】変更
【補正の内容】
【００６３】
１          廃棄体容器
１’        廃棄体容器内領域
２          ガンマ線検出器
３          エネルギスペクトル計測器
４          実測スペクトルデータ
５          エネルギスペクトル計算装置
６          計算スペクトルデータ
７          データベース
８          放射能量比較装置
１０        走査装置
１１        水平方向走査機構
１２        鉛直方向走査機構
１３        固定冶具
１４        走査機構制御装置
２０        移動装置
２１        回転台座
２２        移動機構
２３        移動機構制御装置